(57)【要約】【課題】騒音が低レベルに抑えられているのみならず、被加工物を短時間で効率的に加工することが可能なプレス機械を提供する。【解決手段】プレス機械１の機械本体２には、制御装置９、一対の金型６ａ，６ｂの接合、離反時に生ずる機械音を検出するマイクロフォン８，８・・、マイクロフォン８，８・・によって検出された機械音の出力レベル（強度）および位相を解析するための騒音測定器１０、騒音測定器１０によって検知された機械音の位相と逆位相で、かつ、機械音よりも低い出力レベルの逆位相音を作成するシンセサイザー１１、シンセサイザー１１が作成した逆位相音を発生させるためのスピーカ７，７・・等からなる消音システムＳが登載されている。【選択図】図４
2019013928.tif 000002
【特許請求の範囲】
【請求項１】
駆動装置を利用して上下あるいは左右に配置された一対の金型を接合、離反させることによって、金属製あるいは合成樹脂製の部品の打ち抜き加工、曲げ加工、絞り加工を行うプレス機械であって、
前記一対の金型の接合・離反時に、その接合・離反によって生ずる機械音と逆位相の音を機械音よりも低い出力レベルで発生させる逆位相音発生手段が設けられていることを特徴とするプレス機械。
【請求項２】
前記一対の金型の接合、離反時に生ずる機械音を検出する機械音検出手段と、
前記機械音検出手段によって検出された機械音の出力レベルおよび位相を解析するための解析手段と、
前記解析手段によって検知された機械音の位相と逆位相で、かつ、機械音よりも低い出力レベルの逆位相音を作成するための逆位相音作成手段とが設けられており、
その逆位相音作成手段によって作成された逆位相音を、前記逆位相音発生手段から発生させることを特徴とする請求項１に記載のプレス機械。
【請求項３】
前記逆位相音作成手段が、１００Ｈｚ以上５００Ｈｚ以下の波長の逆位相音を作成するものであることを特徴とする請求項２に記載のプレス機械。
【発明の詳細な説明】
【技術分野】
【０００１】
本発明は、発生する機械音（騒音）のレベル（強度）が低減されたプレス機械（プレス加工機）に関するものである。
【背景技術】
【０００２】
各種の金属部品、合成樹脂製部品の打ち抜き加工、曲げ加工、絞り加工等の用途に、油圧等の駆動機構によって上型を下型に押し当てるタイプのプレス機械が多く利用されている。そのようなプレス機械は、上型と下側との間に挟んだ金属製あるいは合成樹脂製の被加工物を、圧力によって裁断したり折り曲げたりするものであるため、加工時の機械音（騒音）が大きく、被加工物の厚みが厚い場合等には、その傾向が顕著なものとなる。
【０００３】
それゆえ、プレス機械の騒音を低減するための方法として、特許文献１の如く、金型が被加工物に食い込んだ瞬間から打ち抜き（裁断）完了までの工程における金型の下降速度を減速する方法が提案されている。
【先行技術文献】
【特許文献】
【０００４】
【特許文献１】特開２００３−９４１９７号公報
【発明の概要】
【発明が解決しようとする課題】
【０００５】
しかしながら、上記した特許文献１の如きプレス機械の騒音低減方法では、被加工物を短時間で効率的に加工することが困難である。本発明の目的は、上記従来のプレス機械の騒音低減方法が有する問題点を解消し、騒音が低レベルに抑えられているのみならず、被加工物を短時間で効率的に加工することが可能なプレス機械を提供することにある。
【課題を解決するための手段】
【０００６】
本発明の内、請求項１に記載された発明は、駆動装置を利用して上下あるいは左右に配置された一対の金型を接合、離反させることによって、金属製あるいは合成樹脂製の部品の打ち抜き加工、曲げ加工、絞り加工を行うプレス機械であって、前記一対の金型の接合・離反時に、その接合・離反によって生ずる機械音と逆位相の音を機械音よりも低い出力レベル（強度）で発生させる逆位相音発生手段が設けられていることを特徴とするものである。
【０００７】
請求項２に記載された発明は、請求項１に記載された発明において、前記一対の金型の接合、離反時に生ずる機械音を検出する機械音検出手段と、前記機械音検出手段によって検出された機械音の出力レベルおよび位相を解析するための解析手段と、前記解析手段によって検知された機械音の位相と逆位相で、かつ、機械音よりも低い出力レベルの逆位相音を作成するための逆位相音作成手段とが設けられており、その逆位相音作成手段によって作成された逆位相音を、前記逆位相音発生手段から発生させることを特徴とするものである。
【０００８】
請求項３に記載された発明は、請求項２に記載された発明において、前記逆位相音作成手段が、１００Ｈｚ以上５００Ｈｚ以下の波長の逆位相音を作成するものであることを特徴とするものである。
【発明の効果】
【０００９】
請求項１に記載のプレス機械は、一対の金型の接合・離反時に、その接合・離反によって生ずる機械音（騒音）と逆位相の音を機械音よりも低い出力レベル（強度）で発生させるための逆位相音発生手段が設けられているので、その逆位相音発生手段が発生させる逆位相音と機械音とが干渉し合って互いに消音し合う（以下、干渉消音効果という）ので、機械音のレベル（強度）を効果的に低減させることができる。
【００１０】
請求項２に記載のプレス機械は、逆位相音作成手段が機械音検出手段の検出結果および解析手段の解析結果に基づいて機械音の位相と逆位相の逆位相音を正確に作成して、逆位相音発生手段から発生させるため、機械音のレベル（強度）を非常に効果的に低減させることができる。
【００１１】
請求項３に記載のプレス機械は、逆位相音作成手段が１００Ｈｚ以上５００Ｈｚ以下の波長の逆位相音を作成するものであるため、干渉消音効果に寄与しない波長の音を逆位相音発生手段から発生させないように構成することができるので、機械音のレベル（強度）をきわめて効果的に低減させることが可能となる。
【図面の簡単な説明】
【００１２】
【図１】プレス機械を示す説明図（正面図）である。
【図２】プレス機械を示す説明図（右側面図）である。
【図３】プレス機械を示す説明図（図１におけるＡ−Ａ線断面図）である。
【図４】プレス機械に搭載された消音機構の概略を示すブロック図である。
【図５】プレス機械の変更例を示す説明図（水平断面図）である。
【発明を実施するための形態】
【００１３】
＜プレス機械の構造＞
以下、本発明に係るプレス機械の一実施形態について、図面に基づいて詳細に説明する。図１〜図３は、本発明に係るプレス機械の一例を示したものであり、プレス機械（曲げ加工装置）１は、機械本体２に、その機械本体２から発生する機械音（騒音）のレベル（強度）を低減させるための消音機構（アクティブノイズコントロールシステム）Ｓが搭載されている。
【００１４】
機械本体２は、土台である略直方体状のベッド２、そのベッド２の上面の前後左右の端縁際（コーナー際）から上方へ突出するように設けられた４本のコラム３，３・・、それらのコラム３，３・・の上端際を固定するように設置された天井支持体４、天井支持体４に対して上下方向にスライドするように設置されたスライダ５、天井支持体４に対してスライダ５を上下動させるための油圧式の駆動装置（図示せず）、加工される被加工物を自動で交換するための自動交換装置（図示せず）等によって構成されている。
【００１５】
また、ベッド２の上面の中央には、金型６の内の下型６ｂが固着されており、スライダ５の下面には、金型６の内の上型６ａが固着されている。そして、４本のコラム３，３・・の略中央（高さ方向における中央であって、上型６ａが下型６ｂに噛み合う高さ位置）の内側には、それぞれ、消音機構を構成する逆位相音発生手段であるスピーカ７，７・・が金型６の方向を向くように設置されている。さらに、前方の片側（左側）のスピーカ７，７・・の近傍には、機械本体２の機械音（騒音）をサンプリング（収集）するための集音手段であるマイクロフォン８，８・・が設置されている。
【００１６】
また、図２は、機械本体２に搭載された消音機構Ｓを示したものであり、消音機構Ｓは、機械本体２の作動を制御するための制御手段９、機械本体２の機械音をサンプリングするためのマイクロフォン８，８・・、マイクロフォン８，８によってサンプリングされた機械音の位相、周波数等を解析するための解析手段であるオシロスコープを内蔵した騒音測定器１０、騒音測定器１０によって解析された結果に基づいて、機械音と打ち消し合う逆位相音を作成するための逆位相音作成手段であるシンセサイザー１１、シンセサイザー１１によって作成された逆位相音を出力するためのスピーカ７，７・・等によって構成されている。加えて、制御装置９には、駆動装置（油圧機構）のポンプ（図示せず）への電源投入から機械音発生までの時間等の各種の時間を計測可能なタイマ１２、および、マイクロフォン８，８がサンプリングした各種の機械音、騒音測定器１０の測定データ、シンセサイザー１１が作成した各種の逆位相音等を記憶しておくためのＲＯＭ１３，ＲＡＭ１４等の記憶手段等が内蔵されている。
【００１７】
＜プレス機械の作動内容＞
上記の如く構成されたプレス機械１は、制御装置９への入力によって、被加工物を自動に交換することができる。また、制御装置９への入力により、駆動装置（図示せず）へ電源を供給することによって、スライダ５を下降させ、上型６ａを下型６ｂに押し付けることによって、被加工物に予め設定された加工（曲げ加工）を施すことができる。また、被加工物に加工を施す際には、制御装置９内のタイマ１２によって、被加工物を交換する周期、および加工を繰り返す周期が制御される。
【００１８】
また、プレス機械１においては、上記の如く、被加工物に加工を施す際に、消音機構Ｓによって、機械音を打ち消す逆位相音が出力されて、機械音の強度が低減される。かかる消音制御は、機械本体２の作動を制御するための制御手段９を介して行われる。当該消音制御においては、被加工物への加工時に、上型６ａが被加工物へ衝突する際や被加工物を自動交換する際の機械音（騒音）が、マイクロフォン９，９・・によって経時的にサンプリングされる。そして、サンプリングされた機械音は、騒音測定器１０によって、その強度、位相、周波数が解析される。
【００１９】
さらに、騒音測定器１０によって機械音の強度、位相、周波数が解析されると、シンセサイザー１１が、その機械音の強度、位相、周波数に関するデータに基づいて、当該機械音の位相と逆位相の逆位相音（音程の変化しない人工的な音）を作成する。なお、そのようにシンセサイザー１１が逆位相音を作成する際には、作成する逆位相音の周波数が１００Ｈｚ以上５００Ｈｚ以下となるように調整される（フィルタリングされる）。また、そのようにシンセサイザー１１が逆位相音を作成する際には、下型６ｂに接合した上型６ａの中心を機械音の発生源（発生位置）と推定し、機械音がその発生源からマイクロフォン９，９・・まで到達する時間（遅延時間）が考慮される。
【００２０】
そして、上記の如くシンセサイザー１１によって作成された逆位相音を、機械音の強度より低い強度で、スピーカ７，７・・から発生させる。そのようにスピーカ７，７・・から逆位相音が発生すると、その逆位相音が機械音と打ち消し合うため、機械音のレベル（強度）が低減される。
【００２１】
＜プレス機械の効果＞
プレス機械１は、上記の如く、一対の金型６（上型６ａおよび下型６ｂ）の接合・離反時に、その接合・離反によって生ずる機械音と逆位相の音を機械音よりも低い出力レベル（強度）で発生させる逆位相音発生手段であるスピーカ７，７・・が設けられているため、一対の金型６ａ，６ｂの接合・離反時に、その接合・離反によって生ずる機械音と、スピーカ７，７・・が発生させる逆位相音と機械音とが干渉し合って互いに消音し合うので、機械音のレベル（強度）を効果的に低減させることができる。
【００２２】
また、プレス機械１は、一対の金型６ａ，６ｂの接合、離反時に生ずる機械音を検出する機械音検出手段であるマイクロフォン８，８・・と、マイクロフォン８，８・・によって検出された機械音の出力レベルおよび位相を解析するための解析手段である騒音測定器１０と、騒音測定器１０によって検知された機械音の位相と逆位相で、かつ、機械音よりも低い出力レベルの逆位相音を作成するための逆位相音作成手段であるシンセサイザー１１とが設けられており、シンセサイザー１１が、マイクロフォン８，８・・の検出結果および騒音測定器１０の解析結果に基づいて機械音の位相と逆位相の逆位相音を正確に作成して、スピーカ７，７・・から発生させるため、機械音のレベル（強度）を非常に効果的に低減させることができる。
【００２３】
さらに、プレス機械１は、逆位相音作成手段であるシンセサイザー１１が、１００Ｈｚ以上５００Ｈｚ以下の波長の逆位相音を作成するものであるため、スピーカ７，７・・が干渉消音効果に寄与しない波長の音を発生させないように構成することができるので、機械音のレベル（強度）をきわめて効果的に低減させることができる。
【００２４】
＜プレス機械の変更例＞
本発明に係るプレス機械の構成は、上記実施形態の態様に何ら限定されるものではなく、金型、逆位相音発生手段（スピーカ）、機械音検出手段（マイクロフォン）、解析手段（騒音測定器）、逆位相音作成手段（シンセサイザー）等の形状・構造等の構成を、本発明の趣旨を逸脱しない範囲で、必要に応じて適宜変更することができる。
【００２５】
たとえば、本発明に係るプレス機械は、上記実施形態の如く、被加工物に曲げ加工を施すものに限定されず、被加工物に打ち抜き加工や絞り加工等の曲げ加工とは異なる加工を施すものでも良い。
【００２６】
また、本発明に係るプレス機械は、上記実施形態の如く、消音機構が単一な逆位相音をプレス機械の加工周期に合わせて発生させるものに限定されず、音楽等を（非加工時も含めて）常時、機械音（騒音）より低い一定のレベル（強さ）で逆位相音発生手段から発生させるもの（あるいは、プレス機械の加工周期に合わせてその音楽等を発生させるレベル（強度）を高めるもの）等に変更することも可能である。
【００２７】
さらに、本発明に係るプレス機械は、上記実施形態の如く、消音機構の逆位相音発生手段（スピーカ等）をコラムの内側に設置したものに限定されず、機械本体の外周を覆うように遮音カバーを設けるとともに、その遮音カバーの開口部分と隣接した部位に逆位相音発生手段を設けたもの等でも良い。図５は、そのように遮音カバーの開口部に逆位相音発生手段を設けたプレス機械を示したものであり、プレス機械１’は、外周（前後面および左右両側面）が透明な合成樹脂製の遮音カバー１５によって覆われており、その遮音カバー１５の前面に、被加工物を取り替えるための開口部１６が設けられている。そして、その開口部１６の左右の内側に、逆位相音発生手段であるスピーカ７，７が設置されている。このように構成されたプレス機械１’も、上記実施形態のプレス機械１と同様に、機械音のレベル（強度）を効果的に低減させることが可能である。
【産業上の利用可能性】
【００２８】
本発明のプレス機械は、上記の如く優れた効果を奏するものであるから、打ち抜き加工、曲げ加工、絞り加工等の各種のプレス加工用の機械として好適に用いることができる。
【符号の説明】
【００２９】
１・・プレス機械
２・・機械本体
６・・金型（６ａ：上型、６ｂ：下型）
７・・スピーカ（逆位相音発生手段）
８・・マイクロフォン（機械音検出手段）
９・・制御装置
１０・・騒音測定装置（解析手段）
１１・・シンセサイザー（逆位相音発生手段）
Ｓ・・消音機構（アクティブノイズコントロールシステム）
【図１】
2019013928.tif 000003
【図２】
2019013928.tif 000004
【図３】
2019013928.tif 000005
【図４】
2019013928.tif 000006
【図５】
2019013928.tif 000007